(57)【要約】【課題】  高コントラスト比、広視野角といったＩＰＳ方式の特徴を保ちつつ、透過型表示と反射型表示の機能を持つ半透過表示が可能な液晶表示素子を提供することを目的とする。【解決手段】  透明電極を備えた上方基板と、反射板機能を持つ第１のインプレーン電極と第２のインプレーン電極からなるインプレーン電極を備えた下方基板との間に液晶材料が充填された液晶層が挟持され、透過型表示と反射型表示が可能な素子であって、透過型表示を行う際はインプレーン電極間で、反射型表示を行う際は透明電極とインプレーン電極間でスイッチングを行うことを特徴とする液晶表示素子。【選択図】  なし【特許請求の範囲】
【請求項１】
透明電極を備えた上方基板（第１の基板）と、反射板機能を持つ第１のインプレーン電極と第２のインプレーン電極からなるインプレーン電極を備えた下方基板（第２の基板）との間に液晶材料が充填された液晶層が挟持され、透明電極、インプレーン電極及び第２の基板上の液晶層側に配向膜が装着され、透過型表示と反射型表示が可能な素子であって、透過型表示を行う際はインプレーン電極間で、反射型表示を行う際は透明電極とインプレーン電極間でスイッチングを行うことを特徴とする液晶表示素子。
【請求項２】
第１のインプレーン電極と第２のインプレーン電極の間隔が０．５〜１０μｍであることを特徴とする請求項１に記載の液晶表示素子。
【請求項３】
インプレーン電極の幅が０．５〜１０μｍであることを特徴とする請求項１に記載の液晶表示素子。
【請求項４】
透明電極上の上部配向膜と、インプレーン電極上または第２の基板上の下部配向膜のラビング方向のなす角度が（９０ｎ−８０）o〜（９０ｎ−１０）o（ここで、ｎは１、２または３である）であることを特徴とする請求項１に記載の液晶表示素子。  
【請求項５】
液晶材料がネマチック液晶であることを特徴とする請求項１〜４の何れか１項に記載の液晶表示素子。  
【請求項６】
誘電率異方性が正の液晶分子が基板に対して水平となるように配向していることを特徴とする請求項５に記載の液晶表示素子。
【請求項７】
誘電率異方性が負の液晶分子が、透明電極とインプレーン電極に挟持される領域では電圧無印加時にホメオトロピック配向であり、インプレーン電極間の領域と透明電極に挟持される領域では電圧無印加時にホモジニアス配向であることを特徴とする請求項５に記載の液晶表示素子。
【請求項８】
液晶表示素子の外側の両側に偏光板が配置されることを特徴とする請求項１〜７の何れか１項に記載の液晶表示素子。
【請求項９】
透明電極を備えた上方基板側に光学異方性層を備えることを特徴とする請求項１〜８の何れか１項に記載の液晶表示素子。
【請求項１０】
光学異方性層が、負の屈折率異方性を有するディスコチック液晶分子より形成され、かつ該光軸が傾斜していることを特徴とする請求項９に記載の液晶表示素子。
【請求項１１】
光学異方性層が、正の屈折率異方性を有する棒状ネマチック液晶分子より形成され、かつ該光軸が傾斜していることを特徴とする請求項９に記載の液晶表示素子。
【請求項１２】
光学異方性層が、ネガティブｃ−プレートであることを特徴とする請求項９に記載の液晶表示素子。
【発明の詳細な説明】
【技術分野】
【０００１】
本発明は、新規な液晶表示素子の構造に関する。詳しくは、透過型表示と反射型表示の機能を合わせ持つ半透過表示が可能なインプレーン（以後、ＩＰと略記する）／対向複合電極を用いた液晶表示素子に関するものである。
【背景技術】
【０００２】
高コントラスト比、広視野角を特徴とするインプレーン・スイッチング（以後、ＩＰＳと略記する）方式が実用化されている（非特許文献１）。しかし、透過型表示と反射型表示の機能を合わせ持つ半透過表示が可能なＩＰ／対向複合電極を用いた液晶表示素子はこれまでに知られてなかった。
【０００３】
【非特許文献１】M. Ohe and K. Kondo, Appl. Phys. Lett., 67 (1995), 3895
【発明の開示】
【発明が解決しようとする課題】
【０００４】
本発明の目的は、高コントラスト比、広視野角といったＩＰＳ方式の特徴を保ちつつ、透過型表示と反射型表示の機能を合わせ持つ半透過表示が可能な液晶表示素子を提供することである。詳しくは、透明電極を備えた基板と、反射板機能を持つＩＰ電極を備えた基板を活用することで、透過時はＩＰ電極間で、反射時は透明電極とＩＰ電極間でスイッチングを可能とする。これにより、従来の液晶表示素子に比べ飛躍的な表示品位の向上を実現することを目的とする。
【課題を解決するための手段】
【０００５】
上記目的を達成するための手段は次の各項のとおりである。
【０００６】
（１）透明電極を備えた上方基板（第１の基板）と、反射板機能を持つ第１のＩＰ電極と第２のＩＰ電極からなるＩＰ電極を備えた下方基板（第２の基板）との間に液晶材料が充填された液晶層が挟持され、透明電極、ＩＰ電極及び第２の基板上の液晶層側に配向膜が装着され、透過型表示と反射型表示が可能な素子であって、透過型表示を行う際はＩＰ電極間で、反射型表示を行う際は透明電極とＩＰ電極間でスイッチングを行うことを特徴とする液晶表示素子。
【０００７】
（２）第１のＩＰ電極と第２のＩＰ電極の間隔が０．５〜１０μｍであることを特徴とする項１に記載の液晶表示素子。
【０００８】
（３）ＩＰ電極の幅が０．５〜１０μｍであることを特徴とする項１に記載の液晶表示素子。
【０００９】
（４）透明電極上の上部配向膜と、ＩＰ電極上または第２の基板上の下部配向膜のラビング方向のなす角度が（９０ｎ−８０）o〜（９０ｎ−１０）o（ここで、ｎは１、２または３である）であることを特徴とする項１に記載の液晶表示素子。  
【００１０】
（５）液晶材料がネマチック液晶であることを特徴とする項１〜４の何れか１項に記載の液晶表示素子。  
【００１１】
（６）誘電率異方性が正の液晶分子が基板に対して水平となるように配向していることを特徴とする項５に記載の液晶表示素子。
【００１２】
（７）誘電率異方性が負の液晶分子が、透明電極とＩＰ電極に挟持される領域では電圧無印加時にホメオトロピック配向であり、ＩＰ電極間の領域と透明電極に挟持される領域では電圧無印加時にホモジニアス配向であることを特徴とする項５に記載の液晶表示素子。
【００１３】
（８）液晶表示素子の外側の両側に偏光板が配置されることを特徴とする項１〜７の何れか１項に記載の液晶表示素子。
【００１４】
（９）透明電極を備えた上方基板側に光学異方性層を備えることを特徴とする項１〜８の何れか１項に記載の液晶表示素子。
【００１５】
（１０）光学異方性層が、負の屈折率異方性を有するディスコチック液晶分子より形成され、かつ該光軸が傾斜していることを特徴とする項９に記載の液晶表示素子。
【００１６】
（１１）光学異方性層が、正の屈折率異方性を有する棒状ネマチック液晶分子より形成され、かつ該光軸が傾斜していることを特徴とする項９に記載の液晶表示素子。
【００１７】
（１２）光学異方性層が、ネガティブｃ−プレートであることを特徴とする項９に記載の液晶表示素子。
【発明の効果】
【００１８】
本発明は、高コントラスト比、広視野角といったＩＰＳ方式の特徴を持ちつつ、透過型表示と反射型表示の機能を合わせ持つ半透過表示が可能な液晶表示素子を提供する。透明電極を備えた基板と、反射板機能を持つＩＰ電極を備えた基板を活用することで、透過時はＩＰ電極間で、反射時は透明電極とＩＰ電極間でスイッチングを可能とすることで、従来液晶表示素子に比べ飛躍的な表示品位の向上を実現した。
【発明を実施するための最良の形態】
【００１９】
図１に、液晶表示素子の全構造の断面図を、図２に液晶表示素子を上から見た図を示す。図番１１および１２は偏光板、２１、２２は基板、３１は透明電極、３２は反射板機能があるＩＰ電極、４は液晶層、５１は信号ライン、５２は信号ライン、５３は第１のＩＰ電極、５４は第２のＩＰ電極、５５はコンタクトホールを示す。図では省略されているが、偏光板１１の外側に光学異方性層を配置しても良い。
【００２０】
偏光板１１と１２は、液晶分子の配向状態およびラビングの方向によって最も好ましい角度に設定される。両基板のラビング方向は、反射形表示を考えると原理的には45°である設定が基本であるが、１０〜８０ｏ、１００〜１７０ｏ、１９０〜２６０ｏと周期的に良好なコントラストを示す範囲が出てくる。そのため、偏光板の偏光軸方向、液晶分子の配向状態、リターデーションによっては最も好ましい角度に設定される。基板２１と２２は、透明かつ絶縁性とする。材料としてはガラス、ポリシリコンカーボネート、シクロオレフィン系樹脂など、透明であることに加え、低吸湿性、高耐熱性、低複屈折性、高寸法安定性などの性質が望まれるが、これら性質を有すれば特に材料に限定されない。
【００２１】
図では省略されているが、配向膜は上方基板では透明電極３１の上（図１および図３では透明電極３１の下）に、下方基板ではＩＰ電極がある領域ではＩＰ電極３２の上に、ＩＰ電極がない領域ではガラス基板２２の上に設置される。またこれも図では省略されているが、偏光板１１の外側（図１および図３では偏光板１１の上方）に光学異方性層を配置しても良い。光学異方性層としては、ディスコチック液晶分子の配向状態を固定化した視野角改善フィルム（例えば富士写真フィルム社製のＷＶフィルム）や、棒状ネマチック液晶分子の傾斜した配向状態を固定化した視野角改善フィルム（例えば新日本石油社製のＮＨフィルム）、らせんピッチが極端に短いコレステリック液晶の配向状態を固定化したネガティブｃ−プレート、などがある。
【００２２】
ＩＰ電極については図１および図２に代表的な形状である長方形のクシ形電極を示したが、形状は長方形には限定されず、ジグザグ形、同心環形、同心多角形等であっても、第１および第２のＩＰ電極が交互に配置された状態を取れればよい。ＩＰ電極の幅は０．５から１０μｍが好ましいが、単に電極としてではなく反射形表示時の反射率との兼ね合いを考える必要がある。
【００２３】
また、各ＩＰ電極間の間隔は、０．５から１０μｍが好ましいが、スイッチング時間の観点からは間隔が狭い方が良く、より好ましくは１から３μｍである。透過率の観点からは、透過形、反射形表示時の光量割合を設計で考える必要がある。また、表示の色つきの観点では、逆に間隔が広い方が好ましい。これはＩＰ電極付近ではどうしても電圧印加時に電気力線がゆがむ（基板に対して平行とならない）ため、その部分では液晶分子が完全にホモジニアス配向（誘電率異方性が正の液晶の場合）あるいはホメオトロピック配向（誘電率異方性が負の液晶の場合）にならないことから、表示に色つきが生じることによる。
【００２４】
電極の間隔が広ければ、表示部全体に占める電極付近の領域（色つき発生部分）の面積の割合が小さくなるので、より良好な表示が得られる。電極については、より反射特性を良好とするために電極を透明とし、電極下部に凹凸を持つ反射板を設けても良い。
【００２５】
セル厚を一定とする様にスペーサーを設けても良い。実際は、画素中央及び画素周辺部など、実際の液晶挙動に影響がない部分に設けるのが望ましい。図１は概念図として、各部の配置を示したが、応用上は各々１画素に対し一つのアクティブ素子を備えたアクティブマトリクス駆動を想定する。
【００２６】
使用する液晶材料としては、素子製造のやり易さを考えれば、注入のし易いネマチック液晶が特に好ましい。
【００２７】
誘電率異方性が正の液晶分子を用いる場合には、第１基板（上方基板）及び第２基板（下方基板）の配向膜は、液晶分子の水平配向（ホモジニアス配向）を誘起する配向膜とする。ただし、０oのプレチルト角でなければならない必要はない。適当なプレチルト角を持たせてもよい。その場合の好ましいプレチルト角は０o〜数１０o傾けた範囲である。
【００２８】
誘電率異方性が正の液晶を用いた場合について示す。透過形表示では、ＩＰ電極がない部分で、液晶分子のＩＰ電極間に生じる電界によりスイッチングする。即ち、初期状態では液晶はその長軸を基板に平行かつ一方の基板から他方の基板に向けてねじれた状態で配向している。電界印加時には、ＩＰ電極間に生じる電界に沿って液晶分子の長軸が揃い、光が透過する。一方、反射形表示では、ＩＰ電極と透明電極に挟持された部分にある液晶分子が、初期状態では、その長軸を基板に平行かつ一方の基板から他方の基板に向けてねじれた状態で配向している。電界印加時には、ＩＰ電極と透明電極との間に生じた電界に沿って液晶分子が配向する。即ち、液晶分子は垂直に配向し、その為、入射光が反射しない状態が得られる。図１に誘電率異方性が正の液晶で駆動した場合の模式図を示した。
【００２９】
誘電率異方性が負の液晶を用いることも可能である。ただし、その場合、液晶分子の配向状態と電界との関係が正の液晶を用いる場合とは異なる。
【００３０】
誘電率異方性が負の液晶分子を用いる場合には、第１基板（上方基板）及び第２基板（下方基板）の配向膜は、透明電極とＩＰ電極に挟持される領域では基板に対して垂直配向（ホメオトロピック配向）を誘起するような配向膜とし、ＩＰ電極間の領域と透明電極に挟持される領域では水平配向（ホモジニアス配向）を誘起するような配向膜とする。ただし、水平配向（ホモジニアス配向）を誘起する配向膜とは、０oのプレチルト角でなければならない必要はない。適当なプレチルト角を持たせてもよい。その場合の好ましいプレチルト角は００〜数１０o傾けた範囲である。また、垂直配向を誘起する配向膜とは、基板に対して９０oでなければならない必要はない。９０oから適当な傾き角を持たせてもよい。その場合の好ましい傾き角は００〜数１０oの範囲である。また必要に応じて、上方基板の垂直配向を誘起する配向膜と水平配向を誘起する配向膜の境界線上には、異なる配向状態の液晶層が接する部分に生じるディスクリネーション・ラインから発生する光漏れをふせぐためのブラック・マスクを形成しても良い。
【００３１】
誘電率異方性が負の液晶を用いた場合、ＩＰ電極と透明電極に挟持された部分にある液晶分子は、初期状態では、その長軸を基板に垂直な状態で配向している。電界印加時には、ＩＰ電極と透明電極との間に生じた電界に沿って液晶分子が配向する。即ち、液晶分子は水平に配向し、その為、入射光が反射する。一方、ＩＰ電極がない領域では、液晶分子は、初期状態では、その長軸を基板に平行な状態で配向している。電界印加時には、ＩＰ電極間に生じる電界に沿って液晶分子が配向する。即ち、液晶分子は基板に対して垂直に配向し、その為、光が透過する。図３に誘電率異方性が負の液晶で駆動した場合の模式図を示した。
【実施例】
【００３２】
以下、実際の実施例について述べる。なお、本発明は実施例に限定されるものではない。
【００３３】
図１および図２に示したような電極パターン構造を持つ液晶表示素子を作製した。一方の基板に電極間隔および電極幅が２μｍである非透過かつ反射特性を持つＩＰ電極構造を、他方の基板の全面にＩＴＯ電極を配置した。セル厚は４．５μｍとした。誘電率異方性が正のネマチック液晶LIXON5048-000XX (商品名、チッソ（株）製、Δｎ＝０．１、Δε＝５．１)を使用した。ホモジニアス配向を誘起する配向剤としてPIA-3744-TD1(商品名、チッソ（株）製)を用い、ＩＰ電極基板、ＩＴＯ基板を各々ＩＰ電極に対し５o、５０oの方向にラビングしてセルを作製した。視野角特性改善のため、ＩＴＯ基板側に、偏光板の代わりに、ＷＶフィルム（商品名、富士写真フィルム（株）製）と偏光板の一体化品LPT-VHL56-12SU(商品名、サンリッツ（株）製)を配置した。
【００３４】
電圧−透過率特性を図４に示す。透過率は光強度の検出に用いた光電子増倍管の出力を任意単位でプロットした。電圧−透過率特性は、偏光顕微鏡下、電圧無印加で暗状態として、周波数が３２Ｈｚである矩形波を印加して、測定した。ここで、透過光強度が最大の値を透過率１００％とし、透過光強度が最少の値を透過率０％とみなした。透過率しきい値電圧は、印加電圧を上昇させ、素子を通過する光の透過率が１０％になったときの電圧の値を測定した。コントラスト比は、光の透過率が１００％のときの光強度と透過率が０％のときの光強度の比を求めた。透過率しきい値電圧が４．５Ｖ、コントラスト比は３６：１あった。
【００３５】
電圧‐反射率特性を同様に図５に示す。透過率は光強度の検出に用いた光電子増倍管の出力を任意単位でプロットした。電圧‐反射率特性は、レーザ光入射による低角度反射光の検出により測定した。４０％の最大反射率が確認された。視野角特性も評価した。偏光板のみの状態では階調反転したが、ＷＶフィルムの採用で階調反転の無い対称な特性が得られた。
【００３６】
透過型と反射型スイッチングでの電圧５Ｖ印加時の応答時間を測定した。ここでも、透過光強度が最大の値を透過率１００％とし、透過光強度が最少の値を透過率０％とみなした。透過型では、立ち上り時間は電圧を印加してから、透過率が９０％になるまでに要した時間とし、立ち下り時間は電圧を無印加にしてから、透過率が１０％になるまでに要した時間とした。透過型での応答時間は立ち上り時間が１５ｍ秒、立ち下り時間が８ｍ秒であった。反射型では、立ち上り時間は電圧を印加してから、透過率が１０％になるまでに要した時間とし、立ち下り時間は電圧を無印加にしてから、透過率が９０％になるまでに要した時間とした。反射型での応答時間は立ち上がりが１８ｍ秒、立ち下がり時間が１６ｍ秒であった。
【図面の簡単な説明】
【００３７】
【図１】正の誘電率異方性を有する液晶を用いて駆動した場合の液晶表示素子断面の模式図である。
【図２】実施例で作製した液晶表示素子を上部から見た図面である。
【図３】負の誘電率異方性を有する液晶を用いて駆動した場合の液晶表示素子断面の模式図である。
【図４】実施例で作製した液晶表示素子の電圧−透過率特性の関係を示した図面である。
【図５】実施例で作製した液晶表示素子の電圧‐反射率特性の関係を示した図面である。
【符号の説明】
【００３８】
１１、１２  偏光板
２１、２２  ガラス基板
３１  透明電極
３２  ＩＰ電極（反射板）
４  液晶層
５１  信号ライン
５２  走査ライン
５３  第１のＩＰ電極
５４  第２のＩＰ電極
５５  コンタクトホール
【図１】
2005265953.tif 000002
【図２】
2005265953.tif 000003
【図３】
2005265953.tif 000004
【図４】
2005265953.tif 000005
【図５】
2005265953.tif 000006